(57)【特許請求の範囲】
【請求項１】
所定のパイプパターンに整形された温水パイプと、
前記温水パイプを収容する、上側に突出したパイプ収容部を有する、複数に分割された上部カバーシートと、
前記パイプ収容部に前記温水パイプを収容した状態で、前記パイプ収容部を閉塞するように、複数の前記上部カバーシートの裏面に貼着される、アルミニウム箔によって形成された下部シートとを備え、
床下地の上に載置した状態で、上部カバーシートに覆われた温水パイプ部分を、床仕上材の裏面に形成されたパイプ収容溝に収容するようにして、床仕上材が敷設される温水パイプユニットであって、
前記上部カバーシートが前記下部シートに貼着された状態では、隣接する前記上部カバーシート間に僅かな隙間を有する目地が形成されており、
複数の前記上部カバーシートは、前記温水パイプの直線部分に沿って延びる前記目地同士が相互に一致しないように配置されていることを特徴とする温水式床暖房フロア用の温水パイプユニット。
【発明の詳細な説明】
【０００１】
【発明の属する技術分野】
この発明は、温水式床暖房フロアを施工する際に使用する温水パイプユニットに関する。
【０００２】
【従来の技術】
本件出願人は、特願２００１−２０５９４４号において、施工性に優れた温水式床暖房フロアを提案している。この温水式床暖房フロアは、図９（ａ）、（ｂ）に示すように、床下地５６の上に載置される温水パイプユニット５１と、床下地５６の上に載置された温水パイプユニット５１を覆うように床下地５６の上に敷設される、裏面にパイプ収容溝５５ａが形成された床仕上材５５とから構成されており、温水パイプユニット５１は、図９（ａ）、（ｂ）及び図１０に示すように、両端部で交互にＵターンさせながら所定のパイプパターンに整形した長尺の温水パイプ５２と、この温水パイプ５２を収容するパイプ収容部を有する上部カバーシート５３と、パイプ収容部に温水パイプ５２を収容した状態で、そのパイプ収容部を閉塞するように、上部カバーシート５３の裏面に貼着された下部シート５４とから構成されている。
【０００３】
以上のように構成された温水式床暖房フロア５０は、床暖房エリアを覆うように、温水パイプユニット５１を床下地５６の上に載置した状態で、その温水パイプユニット５１における上部カバーシート５３によって覆われた温水パイプ５２部分を、パイプ収容溝５５ａに収容しながら、床仕上材５５を順次敷設していけばよいので、効率よく施工することができる。
【０００４】
ところで、上述したような温水パイプユニット５１には、その寸法が１８００ｍｍ×３０００ｍｍと比較的大きなものもあるので、製造上または取り扱い上の観点から、上述したような大きな上部カバーシート５３を使用することは難しく、実際は、図１１に示すように、複数に分割された上部カバーシート５３ａを組み合わせて使用することになるが、その場合、隣接する上部カバーシート５３ａ同士が重ならないように、隣接する上部カバーシート５３ａ間に僅かな隙間を有する目地Ｓが形成されるように、複数の上部カバーシート５３ａを下部シート５４に貼着していくことになる。
【０００５】
【発明が解決しようとする課題】
しかしながら、上述したように、複数に分割された上部カバーシート５３ａを組み合わせて使用した温水パイプユニット５１の場合、隣接する上部カバーシート５３ａ間に僅かな隙間を有する目地Ｓが形成されているので、例えば、温水パイプユニット５１を巻回して梱包したり、床下地５６の上に敷設したりする際、目地Ｓ部分において下部シート５４に皺が発生すると、上部カバーシート５３ａ間の目地Ｓを形成している隙間の寸法が小さくなる場合がある。
【０００６】
このように、上部カバーシート５３ａ間の目地Ｓの隙間が小さくなるということは、温水パイプ５２を覆っている上部カバーシート５３ａが位置ずれを起こすということであるので、床下地５６の上に載置された温水パイプユニット５１における上部カバーシート５３ａによって覆われた温水パイプ５２部分を、床仕上材５５のパイプ収容溝５５ａに収容しにくくなり、床仕上材５５を円滑に敷設していくことができなくなるといった問題が発生する。
【０００７】
特に、アルミニウム箔等のように、皺が発生しやすく、一旦発生した皺を簡単に延すことができないような素材によって、下部シート５４が形成されている場合は、上述した問題が顕著に現れることになる。
【０００８】
そこで、この発明の課題は、隣接する上部カバーシート間の目地を形成している隙間の寸法変化が発生しにくい温水式床暖房フロア用の温水パイプユニットを提供することにある。
【０００９】
【課題を解決するための手段及びその効果】
上記の課題を解決するため、請求項１にかかる発明は、所定のパイプパターンに整形された温水パイプと、前記温水パイプを収容する、上側に突出したパイプ収容部を有する、複数に分割された上部カバーシートと、前記パイプ収容部に前記温水パイプを収容した状態で、前記パイプ収容部を閉塞するように、複数の前記上部カバーシートの裏面に貼着される、アルミニウム箔によって形成された下部シートとを備え、床下地の上に載置した状態で、上部カバーシートに覆われた温水パイプ部分を、床仕上材の裏面に形成されたパイプ収容溝に収容するようにして、床仕上材が敷設される温水パイプユニットであって、前記上部カバーシートが前記下部シートに貼着された状態では、隣接する前記上部カバーシート間に僅かな隙間を有する目地が形成されており、複数の前記上部カバーシートは、前記温水パイプの直線部分に沿って延びる前記目地同士が相互に一致しないように配置されていることを特徴とする温水式床暖房フロア用の温水パイプユニットを提供するものである。
【００１０】
以上のように、この温水パイプユニットでは、隣接する上部カバーシート間に形成された、温水パイプの直線部分に沿って延びる目地同士が相互に一致しないように、複数の上部カバーシートが配置されているので、即ち、温水パイプの直線部分に沿って延びる目地の少なくとも一端側には、隣接する上部カバーシートの側縁部分が下部シートに貼着されているので、そういった目地部分において、下部シートに皺が発生しにくく、目地を形成している隙間の寸法変化が抑えられることになる。
【００１１】
従って、床下地の上に載置した温水パイプユニットを覆うように、床仕上材を敷設する際、上部カバーシートによって覆われた温水パイプを、床仕上材の裏面に形成されたパイプ収容溝に確実に収容しながら、床仕上材を円滑に敷設していくことができる。
【００１２】
特に、この温水パイプユニットのように、皺が発生しやすく、一旦発生した皺を簡単に延すことができないようなアルミニウム箔によって下部シートが形成されている場合に有効である。
【００１３】
【発明の実施の形態】
以下、実施の形態について図面を参照して説明する。図１及び図２に示すように、この温水式床暖房フロア１は、捨貼合板等からなる床下地１０と、この床下地１０の上に載置される温水パイプユニット２０と、床下地１０の上に載置された温水パイプユニット２０を覆うように床下地１０の上に敷設される床仕上材３０とから構成されている。
【００１４】
前記温水パイプユニット２０は、図２〜図４に示すように、縦方向の両端部で交互にＵターンさせながら所定のパイプパターンに整形した、架橋ポリエチレンによって形成された口径が５Ａの長尺の２組の温水パイプ２１と、この温水パイプ２１を収容するパイプ収容部２２ａを有する上部カバーシート２２と、パイプ収容部２２ａに温水パイプ２１を収容した状態で、パイプ収容部２２ａを閉塞するように、上部カバーシート２２の裏面に貼着される下部シート２３とから構成されており、前記温水パイプ２１は、上部カバーシート２２及び下部シート２３に挟み込まれることによって、所定のパイプパターンに保持されている。
【００１５】
前記下部シート２３は、ポリプロピレンやポリスチレン等によって、上面に樹脂コーティングが施された、厚さ１００μｍのアルミニウム箔によって形成されており、所定のパイプパターンに整形された２組の温水パイプ２１を完全に覆うことができる大きさを有していると共に、温水パイプ２１部分を避けるように、所定位置に多数の長孔２３ａが形成されている。
【００１６】
前記上部カバーシート２２は、図５（ａ）〜（ｇ）に示すように、厚さ０．２５ｍｍのポリプロピレンシートまたはポリスチレンシートを真空成形することによって、パイプ収容部２２ａが形成された、大きさやパイプ収容部２２ａの形態が異なる７種類のユニットから構成されており、これらのユニットを適宜組み合わせることによって、下部シート２３の略全面を覆うようになっている。
【００１７】
この上部カバーシート（各ユニット）２２は、パイプ収容部２２ａに温水パイプ２１を収容した状態で、パイプ収容部２２ａを除くフラット部分２２ｂが、下部シート２３の上面、即ち、樹脂コーティング部分に熱融着されており、下部シート２３に熱融着されているフラット部分２２ｂには、下部シート２３に形成された長孔２３ａに対応する位置に同径の長孔２２ｃが形成されている。
【００１８】
また、上部カバーシート（各ユニット）２２は、図２及び図４に示すように、下部シート２３に熱融着する際、それぞれのフラット部分２２ｂ同士が重ならないように、隣接する上部カバーシート（各ユニット）２２間に、予め、１ｍｍ程度の隙間を有する目地Ｓが形成されるようになっており、図３に示すように、温水パイプ２１の直線部分に沿って延びる目地Ｓ同士が相互に一致しないように、縦方向に隣接する上部カバーシート（各ユニット）２２が、横方向に相互に位置をずらした状態で配置されている。
【００１９】
前記床仕上材３０は、図２及び図６に示すように、５プライ合板や３プライ合板等の木質板によって形成されたパネル基材３１と、このパネル基材３１の表面に貼着された突板等の表面化粧材３２とから構成されており、床仕上材３０の表面には、長手方向に伸びる３本の擬似溝３２ａと各擬似溝３２ａ間において短手方向に伸びる複数の擬似溝３２ｂとが形成されている。
【００２０】
また、床仕上材３０は、図８に示すように、温水パイプユニット２０が載置されていない部屋の周辺部分に敷設される周辺パネル３０ａと、部屋の中央部分に載置された温水パイプユニット２０における温水パイプ２１の直線部分を覆うように敷設される本体パネル３０ｂと、温水パイプユニット２０における温水パイプ２１の床仕上材３０の貼始側のＵターン部分を覆うように敷設される貼始側Ｕターンパネル３０ｃと、温水パイプユニット２０における温水パイプ２１の床仕上材３０の貼終側のＵターン部分を覆うように敷設される貼終側Ｕターンパネル３０ｄとに分類されており、前記周辺パネル３０ａは、本体パネル３０ｂと同一構成のパネルを使用している。
【００２１】
前記本体パネル３０ｂは、図７（ａ）に示すように、パネル基材３１の裏面に、上述した温水パイプユニット２０における温水パイプ２１の直線部分を収容するための複数のパイプ収容溝３１ａが一定間隔で形成されており、貼始側Ｕターンパネル３０ｃ及び貼終側Ｕターンパネル３０ｄは、同図（ｂ）、（ｃ）に示すように、パネル基材３１の裏面に、温水パイプ２１の直線部分を収容するための複数のパイプ収容溝３１ａと、温水パイプ２１のＵターン部分を収容するための円弧状のパイプ収容溝３１ｂとが形成されている。
【００２２】
以上のように構成された温水式床暖房フロア１の施工方法について、以下に説明する。まず、図８（ａ）に示すように、床暖房フロアを施工しようとする部屋の一辺側から床下地１０の上に周辺パネル３０ａを敷設した後、同図（ｂ）に示すように、温水パイプユニット２０を床下地１０の所定位置に載置する。
【００２３】
次に、同図（ｃ）に示すように、パイプ収容溝３１ａ、３１ｂに温水パイプユニット２０における上部カバーシートによって覆われた温水パイプ２１部分を嵌め込むようにして貼始側Ｕターンパネル３０ｃを敷設すると、床下地１０の上に載置された温水パイプユニット２０が概ね位置決めされることになるので、その温水パイプユニット２０における２組の温水パイプ２１の両端部をそれぞれ床下地１０の下方側に引き落とし、床下でメインパイプに接続する。
【００２４】
続いて、同図（ｄ）に示すように、パイプ収容溝３１ａに温水パイプユニット２０の温水パイプ２１部分を嵌め込みながら本体パネル３０ｂを敷設していく。そして、同図（ｅ）に示すように、温水パイプユニット２０における温水パイプ２１の反対側のＵターン部分を覆うように、貼終側Ｕターンパネル３０ｄを敷設した後、同図（ｆ）に示すように周辺パネル３０ａを敷設すると、図１に示すような温水式床暖房フロア１が完成する。
【００２５】
なお、周辺パネル３０ａ、貼始側Ｕターンパネル３０ｃ、本体パネル３０ｂ及び貼終側Ｕターンパネル３０ｄを敷設する際は、パイプ収容溝３１ａ、３１ｂ部分を除いて各パネルの裏面にそれぞれ接着剤が塗布されているので、この接着剤によって、貼始側Ｕターンパネル３０ｃ、本体パネル３０ｂ及び貼終側Ｕターンパネル３０ｄと温水パイプユニット２０の上部カバーシート２２とが相互に接着固定されると共に、上部カバーシート２２及び下部シート２３に形成された長孔２２ｃ、２３ａ部分で、貼始側Ｕターンパネル３０ｃ、本体パネル３０ｂ及び貼終側Ｕターンパネル３０ｄと床下地１０とが同時に接着固定される。
【００２６】
以上のように、この温水式床暖房フロア１に使用されている温水パイプユニット２０では、隣接する上部カバーシート２２間に形成された、温水パイプ２１の直線部分に沿って延びる目地Ｓ同士が相互に一致しないように、複数の上部カバーシート２２が配置されているので、温水パイプ２１の直線部分に沿って延びる目地Ｓの少なくとも一端側には、隣接する上部カバーシート２２の側縁部分（フラット部分２２ｂ）が下部シート２３に熱融着されており、そういった目地Ｓ部分において、下部シート２３の皺が発生しにくく、目地Ｓを形成している隙間の寸法変化に伴う上部カバーシート２２の位置ずれが抑えられることになる。
【００２７】
従って、床下地１０の上に載置した温水パイプユニット２０を覆うように、床仕上材３０を敷設する際、上部カバーシート２２によって覆われた温水パイプ２１部分を、床仕上材３０の裏面に形成されたパイプ収容溝３１ａ、３１ｂに確実に収容しながら、床仕上材３０を円滑に敷設していくことができる。
【００２８】
また、上述した温水パイプユニット２０では、皺が発生しやすく、一旦発生した皺を簡単に延すことができないようなアルミニウム箔によって下部シート２３が形成されているので、こういった下部シート２３を使用する場合に、特に有効である。
【００２９】
また、この温水式床暖房フロア１では、所定のパイプパターンに整形された温水パイプ２１が、上部カバーシート２２によって覆われた温水パイプユニット２０を使用しているので、温水パイプ２１を床仕上材３０の裏面に形成されたパイプ収容溝３１ａ、３１ｂに収容する際、床仕上材３０の裏面に塗布された接着剤が温水パイプ２１に付着することがなく、床仕上材の裏面に塗布された接着剤が温水パイプ２１に付着しないように気を使いながら施工する必要がないので、効率よく床仕上材３０を敷設していくことができるという効果も得られる。
【００３０】
また、上述した実施形態では、上部カバーシート２２によって、温水パイプ２１を完全に覆うようにしているが、これに限定されるものではなく、温水パイプ２１の各直線部分のみをそれぞれ覆うように、複数の上部カバーシートを下部シート２３に貼着するようにしてもよい。この場合、貼始側Ｕターンパネル３０ｃ及び貼終側Ｕターンパネル３０ｄを敷設する際は、温水パイプ２１に接着剤が付着しないように、気を付けなければならないが、貼始側Ｕターンパネル３０ｃ及び貼終側Ｕターンパネル３０ｄの敷設枚数は、本体パネル３０ｂの敷設枚数に比べて少ないので、上部カバーシート２２によって温水パイプ２１を完全に覆う場合に比べて、床仕上材３０の敷設効率が大きく低下することはない。
【図面の簡単な説明】
【図１】この発明にかかる温水パイプユニットの一実施形態を使用した温水式床暖房フロアを示す断面図である。
【図２】同上の温水式床暖房フロアを示す分解断面図である。
【図３】同上の温水パイプユニットを示す一部切欠平面図である。
【図４】同上の温水パイプユニットを示す分解断面図である。
【図５】（ａ）〜（ｇ）は同上の温水パイプユニットを構成している上部カバーシート（各ユニット）を示す平面図である。
【図６】同上の温水式床暖房フロアに使用される床仕上材を示す平面図である。
【図７】（ａ）は同上の床仕上材（本体パネル）を示す裏面図、（ｂ）は同上の床仕上材（貼始側Ｕターンパネル）を示す裏面図、（ｃ）は同上の床仕上材（貼終側Ｕターンパネル）を示す裏面図である。
【図８】（ａ）〜（ｆ）は同上の温水式床暖房フロアの施工方法を示す工程図である。
【図９】（ａ）は背景技術としての温水式床暖房フロアを示す断面図、（ｂ）は同上の温水式床暖房フロアを示す分解断面図である。
【図１０】同上の温水式床暖房フロアを構成している温水パイプユニットを示す平面図である。
【図１１】同上の温水パイプユニットの変形例を示す平面図である。
【符号の説明】
１  温水式床暖房フロア
１０  床下地
２０  温水パイプユニット
２１  温水パイプ
２２  上部カバーシート
２２ａ  パイプ収容部
２２ｂ  フラット部分
２２ｃ  長孔
２３  下部シート
２３ａ  長孔
３０  床仕上材
３０ａ  周辺パネル
３０ｂ  本体パネル
３０ｃ  貼始側Ｕターンパネル
３０ｄ  貼終側Ｕターンパネル
３１  パネル基材
３１ａ、３１ｂ  パイプ収容溝
３２  表面化粧材
Ｓ  目地
【図１】
0003872366.tif 000002
【図２】
0003872366.tif 000003
【図３】
0003872366.tif 000004
【図４】
0003872366.tif 000005
【図５】
0003872366.tif 000006
【図６】
0003872366.tif 000007
【図７】
0003872366.tif 000008
【図８】
0003872366.tif 000009
【図９】
0003872366.tif 000010
【図１０】
0003872366.tif 000011
【図１１】
0003872366.tif 000012